(57)【特許請求の範囲】
【請求項１】
基礎と、この基礎上に立設される壁パネルとの連結構造であって、
前記壁パネルは、少なくとも室内側面が開放されて凹部空間を有するパネル本体と、このパネル本体の室内側面に予め貼り付けられた室内側面材とを備えており、
前記基礎には、この基礎の上端面から上方に突出して前記パネル本体の下端部を貫通し、上端部が前記凹部空間内に突出するアンカーボルトが設けられ、このアンカーボルトの上端部には締付ナットが螺合されており、
前記パネル本体の下端部には、室内側に向かって突出する床受け材が前記基礎とパネル本体との間に挟み込まれるように設けられ、この床受け材の上には床パネルの側端部が載置されており、
前記室内側面材は、この室内側面材の下端部の高さ位置が、前記床パネルの側端部の上面の高さ位置と略等しくなるように設定されており、
この室内側面材の下端部と、床受け材の上面との間に前記床パネルの側端部が嵌入され、
前記パネル本体は、四角形状に形成された板材と、この板材の両面の少なくとも周縁部に取り付けられ、縦横の枠材を四角枠状に組み立てた枠体とを有しており、
前記凹部空間および前記床パネル内には、断熱材が充填され、
前記床パネルの側端部が前記枠体の側端部に当接していることを特徴とする基礎と壁パネルとの連結構造。
【請求項２】
請求項１に記載の基礎と壁パネルとの連結構造において、
前記床パネルは、この床パネルの側端面の上部に、上面が前記床パネルの上面と略面一となる補助床部材を備えており、
この補助床部材が、前記床受け材の上に載置され、かつ前記室内側面材の下端部と、床受け材の上面との間に嵌入されていることを特徴とする基礎と壁パネルとの連結構造。
【発明の詳細な説明】
【技術分野】
【０００１】
本発明は、基礎と、この基礎上に立設される壁パネルとの連結構造に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
この特許文献１の壁パネルは、縦横の枠材を四角枠状に組み立てた枠体の両面に合板を貼り付けてなる。また、この壁パネルの室外側面には外装材が貼り付けられるとともに、室内側面には内装下地材となる石膏ボードが貼り付けられることとなる。
【０００３】
また、この壁パネルと基礎とを連結する際は、基礎に設けられたアンカーボルトを、壁パネルの下端部の枠材を貫通させるとともに、上端部を壁パネルの中空部内に突出させている。そして、突出したアンカーボルトの上端部に、アンカーボルトと壁パネルとを接合する金物を取り付けたり、ナットを螺合させて締め付けたりして、基礎と壁パネルとを連結している。
【特許文献１】特開２０００−３０３５５１号公報
【発明の開示】
【発明が解決しようとする課題】
【０００４】
ところで、特許文献１の壁パネルの合板には、ナットの締め付け作業をしやすくするために、手や道具を挿入できる作業用開口が形成されているが、このように作業用開口を合板に形成してしまうと、ナットの締め付け後に作業用開口を塞ぐ手間がかかる。
しかしながら、このような手間を省略するために、作業用開口を形成せずにナットの締め付けを行おうとしても、手や道具が届かないため、ナットを強固に締め付けすることが困難となる場合がある。
【０００５】
また、このように作業用開口を形成するとなると、作業用開口が形成された側の壁パネル面に外装材や石膏ボード等の面材を、予め工場等で壁パネルに貼り付けておくことができなくなるため、現場での作業性を向上させることが困難となる場合がある。
【０００６】
本発明の課題は、現場での作業性を向上できるとともに、基礎と壁パネルとを確実かつ強固に連結することが可能な基礎と壁パネルとの連結構造を提供することを目的とする。
【課題を解決するための手段】
【０００７】
請求項１に記載の発明は、例えば図１〜図４に示すように、基礎１と、この基礎１上に立設される壁パネル２との連結構造であって、
前記壁パネル２は、少なくとも室内側面が開放されて凹部空間３ａを有するパネル本体３と、このパネル本体３の室内側面に予め貼り付けられた室内側面材４とを備えており、
前記基礎１には、この基礎１の上端面から上方に突出して前記パネル本体３の下端部を貫通し、上端部が前記凹部空間３ａ内に突出するアンカーボルト１ａが設けられ、このアンカーボルト１ａの上端部には締付ナット１ｂが螺合されており、
前記パネル本体３の下端部には、室内側に向かって突出する床受け材５，６が前記基礎１とパネル本体３との間に挟み込まれるように設けられ、この床受け材５，６の上には床パネル７の側端部が載置されており、
前記室内側面材４は、この室内側面材４の下端部の高さ位置が、前記床パネル７の側端部の上面の高さ位置と略等しくなるように設定されており、
この室内側面材４の下端部と、床受け材５，６の上面との間に前記床パネル７の側端部が嵌入され、
前記パネル本体３は、四角形状に形成された板材３０と、この板材３０の両面の少なくとも周縁部に取り付けられ、縦横の枠材３１ａ，３１ｂ，３１ｃ，３１ｄ、３２ａ，３２ｂ，３２ｃ，３２ｄを四角枠状に組み立てた枠体３１，３２とを有しており、
前記凹部空間３ａおよび床パネル７内には、断熱材３１ｇ，７ｃが充填され、
前記床パネル７の側端部が前記枠体３１の側端部に当接していることを特徴とする。
【０００８】
請求項１に記載の発明によれば、前記壁パネル２は、この壁パネル２のパネル本体３の室内側面に予め貼り付けられる室内側面材４を備えているので、この室内側面材４を、現場で壁パネル２に貼り付ける必要がなく、現場での作業性を向上させることができる。
また、前記室内側面材４は、この室内側面材４の下端部の高さ位置が、前記床パネル７の側端部の上面の高さ位置と略等しくなるように設定されているので、この室内側面材４は、前記パネル本体３に対して、このパネル本体３の凹部空間３ａの下端部を室内側に開放させた状態で貼り付けられることとなる。すなわち、この開放された箇所には、前記基礎１の上端面から上方に突出するアンカーボルト１ａの上端部が露出することとなる。さらに、前記床パネル７は、前記パネル本体３の下端部に設けられた床受け材５，６に、自身の側端部を載置するようにして設置するので、基礎１と壁パネル２とを連結した後で床パネル７の施工を行うことができる。したがって、作業者は、前記パネル本体３の開放された箇所に手や道具を挿入して、前記アンカーボルト１ａの上端部に螺合された締付ナット１ｂを強固に締め付けることができるので、前記基礎１と壁パネル２とを確実かつ強固に連結することが可能となる。
しかも、前記基礎１と壁パネル２とを連結した後に、前記床パネル７の側端部が、前記室内側面材４の下端部と、床受け材５，６の上面との間に嵌入されるので、この床パネル７の側端部によって、前記パネル本体３の開放された箇所を遮蔽することができるので、この開放された箇所を塞ぐような手間を省略できるとともに、前記壁パネル２と床パネルと７との接合箇所の外観性に優れる。
また、請求項１に記載の発明によれば、前記床受け材６は、前記基礎１とパネル本体３との間に挟み込まれるようにして設けられているので、この床受け材６を介在させた分、前記壁パネル２を高い位置に設けることができる。このように前記壁パネル２を、前記床受け材６を介在させた分だけ高い位置に設けることができるので、例えば、前記床受け材６を基礎１と壁パネル２との間に介在させていない場合に比して、この壁パネル２が設けられる部屋の天井高を高くとることができる。
また、請求項１に記載の発明によれば、前記パネル本体３は、四角形状に形成された板材３０と、この板材３０の両面の少なくとも周縁部に取り付けられ、縦横の枠材３１ａ，３１ｂ，３１ｃ，３１ｄ、３２ａ，３２ｂ，３２ｃ，３２ｄを四角枠状に組み立てた枠体３１，３２とを有しているので、これら枠体３１，３２によって板材３０を両面側から挟み込むことができ、地震等による板材３０の変形を抑制することができ、好ましい。
すなわち、前記板材３０に対して、剪断方向や捻れ方向などに大きな変形力が加わった場合、この板材３０は様々な方向に向かって変形しようとする。例えば板材３０が、側面視くの字に変形しようとすれば、板材３０両面の一方の縦枠材３１ａ，３２ａおよび他方の縦枠材３１ｂ，３２ｂによって変形を抑制し、板材３０が、平面視くの字に変形しようとすれば、板材３０両面の上横枠材３１ｃ，３２ｃおよび下横枠材３１ｄ，３２ｄとによって変形を抑制することができる。また、例えば板材３０が、捻れるように変形しようとすれば、板材３０両面の前記枠体３１，３２全体で変形を抑制することができる。したがって、前記板材３０が、いずれの方向に変形しても前記枠体３１，３２によって変形を抑制することができるので、前記板材３０や、この板材３０と両枠体３１，３２との取付部分に影響が出にくく、壁パネル２自体の強度を向上させることが可能となる。
また、前記板材３０の両面に枠体３１，３２が取り付けられてなるので、従来に比して、使用する板材３０の量を２枚から１枚に減らすことができ、コストを削減することができる。
【００１３】
請求項２に記載の発明は、例えば図２および図４に示すように、請求項１記載の基礎１と壁パネル２との連結構造において、
前記床パネル７は、この床パネル７の側端面の上部に、上面が前記床パネル７の上面と略面一となる補助床部材７ａ，７ｂを備えており、
この補助床部材７ａ，７ｂが、前記床受け材５，６の上に載置され、かつ前記室内側面材４の下端部と、床受け材５，６の上面との間に嵌入されていることを特徴とする。
【００１４】
請求項２に記載の発明によれば、前記床パネル７の側端面の上部に設けられた補助床部材７ａ，７ｂが、前記床受け材５，６の上に載置され、かつ前記室内側面材４の下端部と、床受け材５，６の上面との間に嵌入されているので、例えば、前記補助床部材７ａ，７ｂが設けられていない床パネル７の側端部を、前記床受け材５，６の上に載置した場合に比して、この床パネル７の上面の高さ位置を低くすることができ、この床パネル７上の部屋の天井高をより高くとることができる。
【発明の効果】
【００１７】
本発明によれば、基礎上に立設される壁パネルは、この壁パネルのパネル本体の室内側面に予め貼り付けられる室内側面材を備えているので、この室内側面材を、現場で壁パネルに貼り付ける必要がなく、現場での作業性を向上させることができる。
また、パネル本体の室内側面に貼り付けられる室内側面材は、この室内側面材の下端部の高さ位置が、床パネルの側端部の上面の高さ位置と略等しくなるように設定されているので、この室内側面材はパネル本体に対して、このパネル本体の凹部空間の下端部を室内側に開放させた状態で貼り付けられることとなる。すなわち、この開放された箇所には、基礎の上端面から上方に突出するアンカーボルトの上端部が露出することとなる。さらに、床パネルはパネル本体の下端部に設けられた床受け材に、自身の側端部を載置するようにして設置するので、基礎と壁パネルとを連結した後で床パネルの施工を行うことができる。したがって、作業者は、パネル本体の開放された箇所に手や道具を挿入して、アンカーボルトの上端部に螺合された締付ナットを強固に締め付けることができるので、基礎と壁パネルとを確実かつ強固に連結することが可能となる。
しかも、基礎と壁パネルとを連結した後に、床パネルの側端部が、室内側面材の下端部と、床受け材の上面との間に嵌入されるので、この床パネルの側端部によって、パネル本体の開放された箇所を遮蔽することができるので、この開放された箇所を塞ぐような手間を省略できるとともに、壁パネルと床パネルとの接合箇所の外観性に優れる。
【発明を実施するための最良の形態】
【００１８】
以下、図面を参照して本発明の実施の形態について説明する。
【００１９】
本実施の形態の基礎１と壁パネル２との連結構造は、図１〜図４に示すように、前記壁パネル２は、基礎１上に立設されるものであり、この壁パネル２は、少なくとも室内側面が開放されて凹部空間３ａを有するパネル本体３と、このパネル本体３の室内側面に予め貼り付けられた室内側面材４とを備えており、
前記基礎１には、この基礎１の上端面から上方に突出して前記パネル本体３の下端部を貫通し、上端部が前記凹部空間３ａ内に突出するアンカーボルト１ａが設けられ、このアンカーボルト１ａの上端部には締付ナット１ｂが螺合されており、
前記パネル本体３の下端部には、室内側に向かって突出する床受け材５，６が設けられ、この床受け材５，６の上には床パネル７の側端部が載置されており、
前記室内側面材４は、この室内側面材４の下端部の高さ位置が、前記床パネル７の側端部の上面の高さ位置と略等しくなるように設定されており、
この室内側面材４の下端部と、床受け材５，６の上面との間に前記床パネル７の側端部が嵌入されている。
【００２０】
ここで、前記基礎１は、鉄筋コンクリート製であり、長さ方向に沿って所定の間隔で、前記アンカーボルト１ａが埋設されている。
このアンカーボルト１ａは、上述のように、前記基礎１の上端面から上方に突出しており、上端部には、座金１ｃを介して前記締付ナット１ｂが螺合されている。
また、前記基礎１と前記壁パネル２との間には、床下に外気を取り入れるための換気台輪１ｄが介在している。
【００２１】
一方、前記壁パネル２は、上述のように、少なくとも室内側面が開放されて凹部空間３ａを有するパネル本体３と、このパネル本体３の室内側面に予め貼り付けられた室内側面材４とを備えている。
すなわち、本実施の形態のパネル本体３は、図５に示すように、四角形状に形成された板材３０と、この板材３０の両面の少なくとも周縁部に取り付けられ、縦横の枠材３１ａ，３１ｂ，３１ｃ，３１ｄ、３２ａ，３２ｂ，３２ｃ，３２ｄを四角枠状に組み立てた枠体３１，３２とを有している。前記凹部空間３ａは、前記板材３０と枠体３１とで囲まれた凹状部分を指している。
なお、前記パネル本体３の枠体３１の下横枠材３１ｄには、前記アンカーボルト１ａを挿通させるための貫通孔（図示せず）が形成されている。
【００２２】
また、このようなパネル本体３は、前記板材３０と枠体３２とで囲まれた凹部空間３ｂを備えており、室内側にも室外側にも凹状部分を有していることとなる。これら凹部空間３ａ，３ｂには、パネル本体３の補強のための縦桟材３１ｅ，３２ｅおよび横桟材３１ｆ，３２ｆがそれぞれ取り付けられるとともに、断熱材３１ｇ，３２ｇが充填されるようになっている。
【００２３】
また、このパネル本体３の室内側面には、上述のように予め室内側面材４が貼り付けられている。これによって、この室内側面材４を、現場で壁パネル２に貼り付ける必要がないので、現場での作業性を向上させることができる。
【００２４】
さらに、このパネル本体３の室外側面には、このパネル本体３の室外側の凹部空間３ｂを覆う外装材８が予め貼り付けられている。これによって、この外装材８を、現場で壁パネル２に貼り付ける必要がないので、現場での作業性をより向上させることができるようになっている。
【００２５】
そして、以上のような本実施の形態のパネル本体３によれば、前記枠体３１，３２によって板材３０を両面側から挟み込むことができるので、地震等による板材３０の変形を抑制することができ、好ましい。
すなわち、前記板材３０に対して、剪断方向や捻れ方向などに大きな変形力が加わった場合、この板材３０は様々な方向に向かって変形しようとする。例えば板材３０が、側面視くの字に変形しようとすれば、板材３０両面の一方の縦枠材３１ａ，３２ａおよび他方の縦枠材３１ｂ，３２ｂによって変形を抑制し、板材３０が、平面視くの字に変形しようとすれば、板材３０両面の上横枠材３１ｃ，３２ｃおよび下横枠材３１ｄ，３２ｄとによって変形を抑制することができる。また、例えば板材３０が、捻れるように変形しようとすれば、板材３０両面の前記枠体３１，３２全体で変形を抑制することができる。したがって、前記板材３０が、いずれの方向に変形しても前記枠体３１，３２によって変形を抑制することができるので、前記板材３０や、この板材３０と両枠体３１，３２との取付部分に影響が出にくく、壁パネル２自体の強度を向上させることが可能となる。
また、前記板材３０の両面に枠体３１，３２が取り付けられてなるので、従来に比して、使用する板材３０の量を２枚から１枚に減らすことができ、コストを削減することができる。
【００２６】
なお、本実施の形態においては、上述のようなパネル本体３を有する壁パネル２を採用しているが、これに限られるものではない。すなわち、例えば縦横の框材が矩形状に組み立てられるとともに、矩形枠の内部に補助桟材が縦横に組み付けられて枠体が構成され、この枠体の室内側面に面材が貼設されてなる壁パネルを用いるようにしてもよい。この場合、枠体の室内側面に貼設された面材が前記室内側面材４とされる。
【００２７】
一方、本実施の形態の室内側面材４は、内装仕上げ材としての石膏ボードであり、表面に、さらに壁紙クロス等が貼り付けられるようになっている。なお、本実施の形態の室内側面材４は石膏ボードに限られるものでないことは言うまでもない。
【００２８】
また、この室内側面材４は、この室内側面材４の下端部の高さ位置が、前記床パネル７の側端部の上面の高さ位置と略等しくなるように設定されているので、この室内側面材４は、前記パネル本体３に対して、このパネル本体３の凹部空間３ａの下端部を室内側に開放させた状態で貼り付けられることとなる。すなわち、この開放された箇所（以下、開口部４ａ）には、前記基礎１の上端面から上方に突出するアンカーボルト１ａの上端部が露出することとなる。
【００２９】
そして、前記床受け材５，６は、図１〜図４に示すように、前記パネル本体３の下端部に、室内側に向かって突出して設けられるものであり、この床受け材５，６の上に前記床パネル７の側端部が載置されるようになっている。
【００３０】
このように床受け材５，６が設けられているので、この床受け材５，６に載置されて設置される床パネル７は、基礎１と壁パネル２とを連結した後で施工を行うことができる。したがって、作業者は、前記パネル本体３の開口部４ａに手や道具を挿入して、前記アンカーボルト１ａの上端部に螺合された締付ナット１ｂを強固に締め付けることができるようになっている。
【００３１】
また、前記床受け材５，６のうち、床受け材５は、図１および図２に示すように、前記パネル本体３の室内側面の下端部に固定されている。つまり、前記パネル本体３の枠体３１の下横枠材３１ｄに固定されている。
【００３２】
このように、前記床受け材５は、前記パネル本体３の室内側面の下端部に固定されているので、この床受け材５が固定される位置に関わりなく、前記壁パネル２を、前記基礎１の上端面に極力近づけて設けることができる。これによって、前記アンカーボルト１ａの基礎１の上端面からの突出長さ寸法が短くて済むので、このアンカーボルト１ａの突出長さ寸法が長い場合に比して、アンカーボルト１ａの曲げや圧縮に対する強度を向上させることができるようになっており、好ましい。
【００３３】
さらに、前記床受け材５，６のうち、床受け材６は、図３および図４に示すように、前記床受け材６は、前記基礎１とパネル本体３との間に挟み込まれるようにして設けられている。また、この床受け材６は、前記パネル本体３の枠体３２の下方に位置する補助土台６ａとセットで、前記パネル本体３の下方に設けられるようになっている。
【００３４】
このように、前記床受け材６は、前記基礎１とパネル本体３との間に挟み込まれるようにして設けられているので、この床受け材６を介在させた分、前記壁パネル２を高い位置に設けることができる。このように前記壁パネル２を、前記床受け材６を介在させた分だけ高い位置に設けることができるので、例えば、前記床受け材６を基礎１と壁パネル２との間に介在させていない場合に比して、この壁パネル２が設けられる部屋の天井高を高くとることができるようになっている。
【００３５】
また、この床受け材６は、前記基礎１とパネル本体３との間に挟み込まれるようにして設けられているので、この床受け材６の上面と、前記室内側面材４の下端部との間の開口部４ａからは、アンカーボルト１ａおよび締付ナット１ｂ、座金１ｃ、下横枠材３１ｄが露出していることとなる。
つまり、締付ナット１ｂの締付作業をするにあたり、作業部位の周辺を確実に視認することができるので、格段に作業がしやすい。
【００３６】
一方、前記床パネル７は、図１〜図４に示すように、縦横の框材が矩形状に組み立てられるとともに、矩形枠の内部に補助桟材が縦横に組み付けられて枠体が構成され、この枠体の上面に床面材が貼設されてなるものである。また、内部中空部には断熱材７ｃが充填されている。
このような床パネル７によれば、前記基礎１と壁パネル２とを連結した後に、前記床パネル７の側端部が、前記室内側面材４の下端部と、床受け材５，６の上面との間に嵌入されるので、この床パネル７の側端部によって、前記パネル本体３の開口部４ａを遮蔽することができるようになっている。
【００３７】
また、本実施の形態の床パネル７は、図２および図４に示すように、この床パネル７の側端面の上部に、上面が前記床パネル７の上面と略面一となる補助床部材７ａ，７ｂを備えており、この補助床部材７ａ，７ｂが、前記床受け材５，６の上に載置され、かつ前記室内側面材４の下端部と、床受け材５，６の上面との間、すなわち、前記開口部４ａに嵌入されている。
【００３８】
このように、前記床パネル７の側端面の上部に設けられた補助床部材７ａ，７ｂが、前記床受け材５，６の上に載置され、かつ前記室内側面材４の下端部と、床受け材５，６の上面との間に嵌入されているので、例えば、前記補助床部材７ａ，７ｂが設けられていない床パネル７の側端部を、前記床受け材５，６の上に載置した場合に比して、この床パネル７の上面の高さ位置を低くすることができ、この床パネル７上の部屋の天井高をより高くとることができるようになっている。
【００３９】
なお、前記床パネル７の側端部、または、この床パネル７が備える補助床部材７ａ，７ｂが嵌入される開口部４ａは、前記床パネル７の側端部または補助床部材７ａ，７ｂの高さ寸法に合わせて高さ寸法設定がなされており、これら床パネル７の側端部または補助床部材７ａ，７ｂが確実に嵌合されて挿入されるようになっている。
【００４０】
また、前記床パネル７の側端部が嵌入される場合の開口部４ａの高さ寸法は、この床パネル７の高さ寸法と略等しい分の長さとすることができるので、比較的大きい開口部となる。これによって、作業者が手や道具を入れやすくなる。
【００４１】
一方、前記補助床部材７ａ，７ｂが嵌入される場合の開口部４ａの高さ寸法は、これら補助床部材７ａ，７ｂの高さ寸法と略等しい分の長さとすることができるので、前記床パネル７の側端部が嵌入される場合の開口部４ａの高さ寸法よりも小さい開口部となる。すなわち、開口部４ａが小さい分、前記室内側面材４を大きくすることができるので、部屋の壁面を大きく取ることができる。
【００４２】
なお、以上に挙げた床受け材５，６のうち、いずれの床受け材を用いるか、また、前記床パネル７に備えられる補助床部材７ａ，７ｂを用いるか否か、また、これら補助床部材７ａ，７ｂを用いるとしたら、これら補助床部材７ａ，７ｂのうち、いずれの補助床部材を用いるかは任意である。また、これら床受け材５，６および補助床部材７ａ，７ｂの組み合わせも任意である。例えば、部屋の天井高を広くしたいという要望や、開口部４ａを大きくしたいという要望、アンカーボルト１ａの突出長さを短くしたいという要望、その他、種々の要望等によって適宜変更可能である。
【００４３】
本実施の形態によれば、前記壁パネル２は、この壁パネル２のパネル本体３の室内側面に予め貼り付けられる室内側面材４を備えているので、この室内側面材４を、現場で壁パネル２に貼り付ける必要がなく、現場での作業性を向上させることができる。
また、前記室内側面材４は、この室内側面材４の下端部の高さ位置が、前記床パネル７の側端部の上面の高さ位置と略等しくなるように設定されているので、この室内側面材４は、前記パネル本体３に対して、このパネル本体３の凹部空間３ａの下端部を室内側に開放させた状態で貼り付けられることとなる。すなわち、この開放された箇所には、前記基礎１の上端面から上方に突出するアンカーボルト１ａの上端部が露出することとなる。さらに、前記床パネル７は、前記パネル本体３の下端部に設けられた床受け材５，６に、自身の側端部を載置するようにして設置するので、基礎１と壁パネル２とを連結した後で床パネル７の施工を行うことができる。したがって、作業者は、前記パネル本体３の開放された箇所に手や道具を挿入して、前記アンカーボルト１ａの上端部に螺合された締付ナット１ｂを強固に締め付けることができるので、前記基礎１と壁パネル２とを確実かつ強固に連結することが可能となる。
しかも、前記基礎１と壁パネル２とを連結した後に、前記床パネル７の側端部が、前記室内側面材４の下端部と、床受け材５，６の上面との間に嵌入されるので、この床パネル７の側端部によって、前記パネル本体３の開放された箇所を遮蔽することができるので、この開放された箇所を塞ぐような手間を省略できるとともに、前記壁パネル２と床パネルと７との接合箇所の外観性に優れる。
【図面の簡単な説明】
【００４４】
【図１】本発明の基礎と壁パネルとの連結構造の一例を示す側断面図である。
【図２】本発明の基礎と壁パネルとの連結構造の一例を示す側断面図である。
【図３】本発明の基礎と壁パネルとの連結構造の一例を示す側断面図である。
【図４】本発明の基礎と壁パネルとの連結構造の一例を示す側断面図である。
【図５】本発明の発明の実施の形態に係るパネル本体を示す正面図、側断面図および底断面図である。
【符号の説明】
【００４５】
１  基礎
１ａ  アンカーボルト
１ｂ  締付ナット
２  壁パネル
３  パネル本体
３ａ  凹部空間
４  室内側面材
５  床受け材
５ａ  床受け材
６  床パネル
【図１】
0005393017.tif 000002
【図２】
0005393017.tif 000003
【図３】
0005393017.tif 000004
【図４】
0005393017.tif 000005
【図５】
0005393017.tif 000006